(57)【要約】【課題】屋根部による下地の防水性を向上させやすくしながら他物固定具を軽量化する。【解決手段】取付下地への第１固定部８を備えた下地側支持部材９と、上側の固定対象物である他物を固定自在な第２固定部１０を備えた上側支持部材１１とを設け、下地側支持部材９に、第１固定部８を備える接地部１４と、上下方向に沿った縦筒状本体部１５とを設け、縦筒状本体部１５の上部の第１縦壁部１５Ａに第１ボルト挿通孔１６を備えて上側支持部材１１に対する連結部を形成し、上側支持部材１１に、縦筒状本体部１５の上端部全体を覆う屋根部１７を設け、屋根部１７よりも下側で縦筒状本体部１５に沿って下方に延設する連結用上下板部１８に第２ボルト挿通孔１９を備えて下地側支持部材９に対する連結部１２を形成し、前記第２固定部に固定する他物の荷重を、下方の前記連結用上下板部に軸力伝達する第２縦壁部２０を、屋根部１７の上方に延設させてある。【選択図】図３
2020197120.tif 000002
【特許請求の範囲】
【請求項１】
取付下地への第１固定部を備えた下地側支持部材と、
上側の固定対象物である他物を固定自在な第２固定部を備えた上側支持部材とを設け、
前記下地側支持部材の上端部と、前記上側支持部材の下端部とに、相互にボルトを介して連結自在な連結部を設けてある他物固定具であって、
前記下地側支持部材に、第１固定部を備える接地部と、上下方向に沿った縦筒状本体部とを設け、
前記縦筒状本体部の上部の第１縦壁部に第１ボルト挿通孔を備えて前記上側支持部材に対する前記連結部を形成し、
前記上側支持部材に、前記縦筒状本体部の上端部全体を覆う屋根部を設け、
前記屋根部よりも下側で前記縦筒状本体部に沿って下方に延設する連結用上下板部に第２ボルト挿通孔を備えて前記下地側支持部材に対する前記連結部を形成し、
前記第２固定部に固定する他物の荷重を、下方の前記連結用上下板部に軸力伝達する第２縦壁部を、前記屋根部の上方に延設させてある他物固定具。
【請求項２】
前記連結用上下板部と前記第２縦壁部とは、平面視で重なる位置に配設してある請求項１に記載の他物固定具。
【請求項３】
前記上側支持部材を、
前記屋根部及び前記連結用上下板部及び前記第２縦壁部を備えた下側部材と、
前記第２固定部を備え且つ前記第２縦壁部に連結自在な第３縦壁部を備えた上側部材とに分割構成し、
前記第２縦壁部と前記第３縦壁部との間に、前記第１固定部に対する前記第２固定部の相対位置を上下または横方向の少なくとも一方に固定位置変更調整自在な連結調整機構を設けてある請求項１または２に記載の他物固定具。
【請求項４】
前記下側部材と前記上側部材との間に、双方に対してボルトを介して連結自在な中間連結部材を介在し、
前記第２縦壁部に形成する第３ボルト挿通孔に挿通するボルトを介して連結自在な第１中間ボルト挿通孔を、前記中間連結部材に設け、
前記第３縦壁部に形成する第４ボルト挿通孔に挿通するボルトを介して連結自在な第２中間ボルト挿通孔を、前記中間連結部材に設け、
前記第３ボルト挿通孔及び前記第１中間ボルト挿通孔の少なくともいずれか一方を、横方向の長い孔に形成し、
前記第４ボルト挿通孔及び前記第２中間ボルト挿通孔の少なくともいずれか一方を、縦方向の長い孔に形成し、
前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に前記連結調整機構を構成してある請求項３に記載の他物固定具。
【請求項５】
前記連結部を側方から覆うカバー部材を、前記屋根部に着脱自在に設けてある請求項１〜４のいずれか１項に記載の他物固定具。
【請求項６】
取付下地への第１固定部を備えた下側取付部材と、
上側の固定対象物である他物を固定自在な第２固定部を備えた上側他物取付部材とを設け、
前記下側取付部材の上端部と、前記上側他物取付部材の下端部との間に、互いに連結自在な連結調整部を設けてある他物固定具であって、
前記下側取付部材に、第１固定部を備える接地部と、上下方向に沿った縦筒状本体部とを設け、前記縦筒状本体部の上部全体を覆う屋根部を設け、
前記下側取付部材の上端部で前記屋根部よりも上方に延設する第２縦壁部を設け、
前記上側他物取付部材の下端部に第３縦壁部を設け、
前記第２縦壁部と前記第３縦壁部とを、平面視で互いに交差する面上になるように配設し、
前記連結調整部を構成するのに、前記第２縦壁部と前記第３縦壁部との間に、双方に対してボルトを介して連結自在な中間連結部材を介在し、
前記第２縦壁部に形成する第３ボルト挿通孔に挿通するボルトを介して連結自在な第１中間ボルト挿通孔を、前記中間連結部材に設け、
前記第３縦壁部に形成する第４ボルト挿通孔に挿通するボルトを介して連結自在な第２中間ボルト挿通孔を、前記中間連結部材に設け、
前記第３ボルト挿通孔及び前記第１中間ボルト挿通孔の少なくともいずれか一方を、横方向の長い孔に形成し、
前記第４ボルト挿通孔及び前記第２中間ボルト挿通孔の少なくともいずれか一方を、縦方向の長い孔に形成し、
前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に構成してある他物固定具。
【請求項７】
前記第３ボルト挿通孔及び前記第１中間ボルト挿通孔の少なくともいずれか一方を、横方向の長い孔に形成すると共に、他方を縦方向の長い孔に形成し、前記長い孔の内少なくともいずれか一方の長い孔を、その孔の長手方向と交差する方向に複数本並べ、
前記第４ボルト挿通孔及び前記第２中間ボルト挿通孔の少なくともいずれか一方を、縦方向の長い孔に形成すると共に、他方を横方向の長い孔に形成し、
前記長い孔の内少なくともいずれか一方の長い孔を、その孔の長手方向と交差する方向に複数本並べて、前記第１固定部に対する前記第２固定部の姿勢を相対的に傾斜変更調整自在にして前記連結調整部を構成してある請求項６に記載の他物固定具。
【請求項８】
前記前記第３ボルト挿通孔及び前記第１中間ボルト挿通孔の内少なくともいずれか一方の長い孔を、その孔の長手方向と交差する方向に複数本並べ、
前記第４ボルト挿通孔及び前記第２中間ボルト挿通孔の内少なくともいずれか一方の長い孔を、その孔の長手方向と交差する方向に複数本並べてある請求項７に記載の他物固定具。
【発明の詳細な説明】
【技術分野】
【０００１】
本発明は、取付下地への第１固定部を備えた下地側支持部材と、上側の固定対象物である他物を固定自在な第２固定部を備えた上側支持部材とを設け、前記下地側支持部材の上端部と、前記上側支持部材の下端部とに、相互にボルトを介して連結自在な連結部を設けてある他物固定具に関する。
【背景技術】
【０００２】
従来、図２０に示すように、下地側支持部材９に、第１固定部８を備える接地部１４と、上下方向に沿った縦筒状本体部１５とを設け、縦筒状本体部１５の上部で横方向に突出したフランジ部に、第１ボルト挿通孔１６を備えて上側支持部材１１に対する連結部１２を形成し、上側支持部材１１に、縦筒状本体部１５の上端部全体を覆う屋根部１７設け、その屋根部１７の上面に、第１ボルト挿通孔１６に対応する第２ボルト挿通孔１９を設けると共に、他物３を固定自在な他物用ボルト挿通孔を設けてあった（例えば、特許文献１参照）。
【先行技術文献】
【特許文献】
【０００３】
【特許文献１】特開２００９−１６７７５４号公報
【発明の概要】
【発明が解決しようとする課題】
【０００４】
上述した従来の他物固定具では、その屋根部１７の上面に、前記他物３を固定自在な他物用ボルト挿通孔を設けてあったために、下地側支持部材９に設けた縦筒状本体部１５の内部に雨水などが侵入しやすく、下地に水分が浸透する虞があった。
また、他物３の荷重が前記他物用ボルト挿通孔を介して屋根部１７上面に作用すると共に、更に前記屋根部１７上面に形成した第２ボルト挿通孔１９及び前記フランジ部に形成した第１ボルト挿通孔１６を介して下地側支持部材９に伝達される。
そのために、屋根部１７には上からの荷重によって曲げ力が作用し、変形しやすくなる。従って、屋根部１７そのものを強化するために肉厚に形成する必要があり、重量化するという問題があった。
【０００５】
従って、本発明の目的は、上記問題点を解消し、屋根部による下地の防水性を向上させやすくしながら、他物固定具を軽量化できるようにするところにある。
【課題を解決するための手段】
【０００６】
本発明の第１の特徴構成は、取付下地への第１固定部を備えた下地側支持部材と、上側の固定対象物である他物を固定自在な第２固定部を備えた上側支持部材とを設け、前記下地側支持部材の上端部と、前記上側支持部材の下端部とに、相互にボルトを介して連結自在な連結部を設けてある他物固定具であって、前記下地側支持部材に、第１固定部を備える接地部と、上下方向に沿った縦筒状本体部とを設け、前記縦筒状本体部の上部の第１縦壁部に第１ボルト挿通孔を備えて前記上側支持部材に対する前記連結部を形成し、前記上側支持部材に、前記縦筒状本体部の上端部全体を覆う屋根部を設け、前記屋根部よりも下側で前記縦筒状本体部に沿って下方に延設する連結用上下板部に第２ボルト挿通孔を備えて前記下地側支持部材に対する前記連結部を形成し、前記第２固定部に固定する他物の荷重を、下方の前記連結用上下板部に軸力伝達する第２縦壁部を、前記屋根部の上方に延設させたところにある。
【０００７】
本発明の第１の特徴構成によれば、取付下地への第１固定部を備えた下地側支持部材は、接地部と縦筒状本体部とを設けてあるために、上側支持部材を外して下地側支持部材のみを先行して取り付け作業をすることが可能なため、縦筒状本体部の上方には、それより大きな障害物がなく、そのために、下地側支持部材における取付下地への取付施工はスムーズに行える。
しかも、下地側支持部材の接地部を、取付下地に設置させて第１固定部により固定した後には、取付下地から接地部及び縦筒状本体部に亘って、作業を目視する際の障害がないために、施工性良く防水シートを敷設して防水性を高めることができる。
また、下地側支持部材に対しては、上側支持部材に縦筒状本体部の上端部全体を覆う屋根部を設けることにより、下地側支持部材内への雨水等の水の侵入を防止でき、上側支持部材に備える第２固定部に他物を取付固定できる。
従って、雨水等の浸透を防止した状態で、建築物の屋外に他物固定具を設置して他物を固定できるようになる。
更に、第２固定部に取付固定した他物の荷重は、第２縦壁部を介して屋根部よりも下側で縦筒状本体部に沿って下方に延設する連結用上下板部に、ストレートに下方に軸力伝達し、連結用上下板部に備える第２ボルト挿通孔、及び、下地側支持部材の縦筒状本体部の第１縦壁部に備える第１ボルト挿通孔に共にボルトを挿通させて締付け連結することで、連結用上下板部に上から伝達した他物の荷重が、そのまま第１縦壁部に軸力伝達される。
従って、他物からの荷重により上側支持部材及び下地側支持部材に曲げ力が作用することなく取付下地で支持され、下地側支持部材及び上側支持部材の各壁厚を厚くして補強することなく、他物を固定できる。
よって、軽量の他物固定具で施工性良く他物を固定できるようになった。
【０００８】
本発明の第２の特徴構成は、前記連結用上下板部と前記第２縦壁部とは、平面視で重なる位置に配設したところにある。
【０００９】
本発明の第２の特徴構成によれば、他物の荷重が第２縦壁部から下方の連結用上下板部にストレートに軸力伝達され、効率よく下地側支持部材に伝わって支持される。
従って、他物固定具に曲げ力等の力が作用しにくく、製作上において全体の軽量化に役立てることができる。
【００１０】
本発明の第３の特徴構成は、前記上側支持部材を、前記屋根部及び前記連結用上下板部及び前記第２縦壁部を備えた下側部材と、前記第２固定部を備え且つ前記第２縦壁部に連結自在な第３縦壁部を備えた上側部材とに分割構成し、前記第２縦壁部と前記第３縦壁部との間に、前記第１固定部に対する前記第２固定部の相対位置を上下または横方向の少なくとも一方に固定位置変更調整自在な連結調整機構を設けたところにある。
【００１１】
本発明の第３の特徴構成によれば、上側支持部材を、屋根部及び連結用上下板部及び第２縦壁部を備えた下側部材と、第２固定部を備え且つ第２縦壁部に連結自在な第３縦壁部を備えた上側部材とに分割構成して、第２縦壁部と第３縦壁部との間に、第１固定部に対する第２固定部の相対位置を上下または横方向の少なくとも一方に固定位置変更調整自在な連結調整機構を設けることにより、取付下地に対する他物の固定姿勢及び固定位置の微調整を、自在に行うことができる。
【００１２】
本発明の第４の特徴構成は、前記下側部材と前記上側部材との間に、双方に対してボルトを介して連結自在な中間連結部材を介在し、前記第２縦壁部に形成する第３ボルト挿通孔に挿通するボルトを介して連結自在な第１中間ボルト挿通孔を、前記中間連結部材に設け、前記第３縦壁部に形成する第４ボルト挿通孔に挿通するボルトを介して連結自在な第２中間ボルト挿通孔を、前記中間連結部材に設け、前記第３ボルト挿通孔及び前記第１中間ボルト挿通孔の少なくともいずれか一方を、横方向の長孔に形成し、前記第４ボルト挿通孔及び前記第２中間ボルト挿通孔の少なくともいずれか一方を、縦方向の長孔に形成し、前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に前記連結調整機構を構成したところにある。
【００１３】
本発明の第４の特徴構成によれば、下側部材と上側部材との間に、双方に対してボルトを介して連結自在な中間連結部材を介在し、他物の高さ調整の際には、第４ボルト挿通孔及び第２中間ボルト挿通孔の少なくともいずれか一方を、縦方向の長孔に形成することで、第２固定部の高さを調整して、第４ボルト挿通孔と第２中間ボルト挿通孔に通したボルトにより締め付けることで、他物の固定高さを決めることができる。
他物の横方向の位置調整には、前記第３ボルト挿通孔及び前記第１中間ボルト挿通孔の少なくともいずれか一方を、横方向の長孔に形成することで、第２固定部の横方向の固定位置を調整して、第３ボルト挿通孔と第１中間ボルト挿通孔に通したボルトにより締め付けることで、他物の横方向の固定位置を決めることができる。
その上、他物の横方向の固定位置を決める際に、中間連結部材の載置部を屋根部に載置しながら、中間連結部材を介して上側部材を横移動することができ、軽く横位置の変更ができる。
【００１４】
本発明の第５の特徴構成は、前記連結部を側方から覆うカバー部材を、前記屋根部に着脱自在に設けたところにある。
【００１５】
本発明の第５の特徴構成によれば、下地側支持部材に上側支持部材をボルトを使って連結部で連結した後に、屋根部にカバー部材を取り付けて連結部の側方を覆うことで、ボルトによる連結時には連結操作の障害になるのを防止しながら、連結後の連結部に雨水が当たるのを防止して、縦筒状本体部を覆う防水シートの上端部をカバー部材で覆って防水性をより高めることができる。
【００１６】
本発明の第６の特徴構成は、取付下地への第１固定部を備えた下側取付部材と、上側の固定対象物である他物を固定自在な第２固定部を備えた上側他物取付部材とを設け、前記下側取付部材の上端部と、前記上側他物取付部材の下端部との間に、互いに連結自在な連結調整部を設けてある他物固定具であって、前記下側取付部材に、第１固定部を備える接地部と、上下方向に沿った縦筒状本体部とを設け、前記縦筒状本体部の上部全体を覆う屋根部を設け、前記下側取付部材の上端部で前記屋根部よりも上方に延設する第２縦壁部を設け、前記上側他物取付部材の下端部に第３縦壁部を設け、前記第２縦壁部と前記第３縦壁部とを、平面視で互いに交差する面上になるように配設し、前記連結調整部を構成するのに、前記第２縦壁部と前記第３縦壁部との間に、双方に対してボルトを介して連結自在な中間連結部材を介在し、前記第２縦壁部に形成する第３ボルト挿通孔に挿通するボルトを介して連結自在な第１中間ボルト挿通孔を、前記中間連結部材に設け、前記第３縦壁部に形成する第４ボルト挿通孔に挿通するボルトを介して連結自在な第２中間ボルト挿通孔を、前記中間連結部材に設け、前記第３ボルト挿通孔及び前記第１中間ボルト挿通孔の少なくともいずれか一方を、横方向の長い孔に形成し、前記第４ボルト挿通孔及び前記第２中間ボルト挿通孔の少なくともいずれか一方を、縦方向の長い孔に形成し、前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に構成したところにある。
【００１７】
本発明の第６の特徴構成によれば、前記下側取付部材に、第１固定部を備える接地部と、上下方向に沿った縦筒状本体部とを設け、前記縦筒状本体部の上部全体を覆う屋根部を設け、前記下側取付部材の上端部で前記屋根部よりも上方に延設する第２縦壁部を設けることにより、縦筒状本体部の内部には雨水の侵入するのを防止して、下地の防水性を向上させやすくでき、しかも、他物を固定自在な第２固定部を備えた上側他物取付部材と、下側取付部材との間の連結には、上側他物取付部材の下端部に第３縦壁部を設け、前記第２縦壁部と前記第３縦壁部との間に、双方に対してボルトを介して連結自在な中間連結部材を介在して連結調整部を構成することにより、他物からの荷重が、上側他物取付部材から中間連結部材、下側取付部材へと伝達される。
また、連結調整部においては、前記第２縦壁部に形成する第３ボルト挿通孔に挿通するボルトを介して連結自在な第１中間ボルト挿通孔を、前記中間連結部材に設け、前記第３縦壁部に形成する第４ボルト挿通孔に挿通するボルトを介して連結自在な第２中間ボルト挿通孔を、前記中間連結部材に設け、前記第３ボルト挿通孔及び前記第１中間ボルト挿通孔の少なくともいずれか一方を、横方向の長い孔に形成し、前記第４ボルト挿通孔及び前記第２中間ボルト挿通孔の少なくともいずれか一方を、縦方向の長い孔に形成することにより、前記第１固定部に対する前記第２固定部の相対位置を横方向に固定位置変更調整自在にできると共に、中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在にできるために、他物の荷重が、上側他物取付部材と中間連結部材との連結部や中間連結部と下側取付部材との連結部を伝わるのみならず、中間連結部材の載置部が屋根部に載置されることにより、屋根部にも分散されて縦筒状本体部に伝達される。
つまり、荷重伝達系路を多くして連結部における個々の負担を低減して耐久性を向上できる。
【００１８】
本発明の第７の特徴構成は、前記前記第３ボルト挿通孔及び前記第１中間ボルト挿通孔の少なくともいずれか一方を、横方向の長い孔に形成すると共に、他方を縦方向の長い孔に形成し、前記長い孔の内少なくともいずれか一方の長い孔を、その孔の長手方向と交差する方向に複数本並べ、前記第４ボルト挿通孔及び前記第２中間ボルト挿通孔の少なくともいずれか一方を、縦方向の長い孔に形成すると共に、他方を横方向の長い孔に形成し、前記長い孔の内少なくともいずれか一方の長い孔を、その孔の長手方向と交差する方向に複数本並べて、前記第１固定部に対する前記第２固定部の姿勢を相対的に傾斜変更調整自在にして前記連結調整部を構成したところにある。
【００１９】
本発明の第７の特徴構成によれば、図１７（ａ）→図１７（ｂ）に示すように、載置部の少なくとも一部を屋根部に載置した状態で、第２固定部を第１固定部に対して相対的に傾けて固定でき、他物の固定姿勢を自在に設定調整できる。
しかも、上側他物取付部材と中間連結部材との連結部や中間連結部と下側取付部材との連結部における部材の靱性変形によらずとも、他物を傾斜姿勢で固定でき、固定施工をより簡単にできるようになる。
【００２０】
本発明の第８の特徴構成は、前記前記第３ボルト挿通孔及び前記第１中間ボルト挿通孔の内少なくともいずれか一方の長い孔を、その孔の長手方向と交差する方向に複数本並べ、前記第４ボルト挿通孔及び前記第２中間ボルト挿通孔の内少なくともいずれか一方の長い孔を、その孔の長手方向と交差する方向に複数本並べたところにある。
【００２１】
本発明の第８の特徴構成によれば、第３ボルト挿通孔及び前記第１中間ボルト挿通孔の内少なくともいずれか一方の長い孔を、その孔の長手方向と交差する方向に複数本並べ、前記第４ボルト挿通孔及び前記第２中間ボルト挿通孔の内少なくともいずれか一方の長い孔を、その孔の長手方向と交差する方向に複数本並べたことにより、他物の固定姿勢を自在に調整しても、複数本並べられた長い孔夫々に連結ボルトを挿通させて締付け連結することで、より安定した固定状態を維持できる。
【図面の簡単な説明】
【００２２】
【図１】設置状態を示す全体斜視図である。
【図２】分解斜視図である。
【図３】分解斜視図である。
【図４】一部の分解斜視図である。
【図５】連結調整機構の作用説明図である。
【図６】連結調整機構の作用説明図である。
【図７】カバー部材の分解斜視図である。
【図８】設置状態を示す図１のVIII−VIII線縦断面図である。
【図９】設置状態を示す図１のIX−IX線縦断面図である。
【図１０】要部の別実施形態を示す図である。
【図１１】別実施形態の全体分解斜視図である。
【図１２】第２の別実施形態の全体斜視図である。
【図１３】第２の実施形態の斜め上からの分解斜視図である。
【図１４】第２の実施形態の斜め下からの分解斜視図である。
【図１５】第２の実施形態の下側取付部材に対する中間連結部材の分解斜視図である。
【図１６】第２の実施形態の設置状態を示す縦断面図である。
【図１７】第２の実施形態の要部の正面図で、（ａ）は第２固定部を傾ける前の状態、（ｂ）は第２固定部を傾けた状態を示す。
【図１８】別実施形態の要部の正面図である。
【図１９】別実施形態の要部の正面図である。
【図２０】従来例の縦断面図である。
【発明を実施するための形態】
【００２３】
以下に本発明の実施の形態を図面に基づいて説明する。
[第１の実施形態]
図１〜図９に示すように、本発明の他物固定具の一実施形態品（以後、単に固定台１という）を使用して、屋上のコンクリート床やベランダ等の建築物（取付下地２の一例）の上に、ソーラーパネルの固定枠や、アンテナ支柱等の他物３の一例としての固定対象部材を固定してある状況を示している。
【００２４】
当該実施形態においては、当該固定台１を設置して、他物３を固定台１に固定してコンクリート床２の上に勾配モルタル４を塗り、その上に断熱材５を敷設し、その断熱材５の上の全域に防水シート６が敷設してある状態を示している(図８、図９)。図中の５Ａは、板金製の断熱材押さえプレートで、断熱材５と縦筒状本体部１５との間に隙間があったり、板状断熱材相互に段差があっても、防水シート６を下地側の上面部から縦筒状本体部１５に亘って、安定して貼りやすくしてある。
前記他物３は、固定台１に他物固定ボルト２８とナットＮとで固定されている。
【００２５】
前記固定台１は、板金で構成してある。
つまり、アンカーボルト７によって取付け下地に固定する第１固定部８を備えた下地側支持部材９と、上側の固定対象である他物３を固定自在な第２固定部１０を備えた上側支持部材１１とを設け、下地側支持部材９の上端部と、上側支持部材１１の下端部とに、相互にボルト１３を介して連結自在な連結部１２を設けてある。
【００２６】
前記下地側支持部材９に、第１固定部８を備える接地部１４と、上下方向に沿った縦筒状本体部１５とを設け、縦筒状本体部１５の上部の第１縦壁部１５Ａに第１ボルト挿通孔１６を備えて上側支持部材１１に対する連結部１２を形成し、上側支持部材１１に、縦筒状本体部１５の上端部全体を覆う屋根部１７設け、屋根部１７よりも下側で縦筒状本体部１５に沿って下方に延設する連結用上下板部１８に、上下方向に沿った長孔状の第２ボルト挿通孔１９を備えて下地側支持部材９に対する連結部１２を形成し、連結用上下板部１８に第２固定部１０に固定する他物３の荷重を上下方向に軸力伝達する第２縦壁部２０を、屋根部１７の上方に延設させてある（図２、図３）。
尚、縦筒状本体部１５の第１縦壁部１５Ａ及び連結用上下板部１８には、図２、図３、図８に示すように、上側支持部材１１を下地側支持部材９に重ねて連結するときに、外部と縦筒状本体部１５の内部とを連通する換気孔１６Ａを設けてあり、下地２の水分を大気中に放出できるように構成してある。
【００２７】
前記上側支持部材１１を、屋根部１７及び連結用上下板部１８及び第２縦壁部２０を備えた下側部材２１と、第２固定部１０を備え且つ第２縦壁部２０に連結自在な第３縦壁部２２を備えた上側部材２３とに分割構成し、第２縦壁部２０と第３縦壁部２２との間に、第１固定部８に対する第２固定部１０の相対位置を上下または横方向の少なくとも一方に固定位置変更調整自在な連結調整機構２４を設けてある。
【００２８】
前記下側部材２１と上側部材２３との間に、双方に対してボルト２７を介して連結自在な有底の４角箱型の中間連結部材２５を介在し、第２縦壁部２０に形成する第３ボルト挿通孔２６に挿通するボルト２７を介して連結自在な第１中間ボルト挿通孔３７を、中間連結部材２５に設け、第３縦壁部２２に形成する第４ボルト挿通孔３８に挿通するボルト３９を介して連結自在な第２中間ボルト挿通孔４０を、中間連結部材２５に設け、第３ボルト挿通孔２６及び第１中間ボルト挿通孔３７の少なくともいずれか一方を、横方向の長孔に形成し(本実施形態では、第２縦壁部２０の第３ボルト挿通孔２６を横長孔に形成し、第１中間ボルト挿通孔３７を角孔に形成）、第４ボルト挿通孔３８及び第２中間ボルト挿通孔４０の少なくともいずれか一方を、縦方向の長孔に形成して上下高さ調整自在にして(本実施形態では、上側部材２３の第３縦壁部２２に設ける第４ボルト挿通孔３８を縦長孔に形成し、第２中間ボルト挿通孔４０を角孔に形成)(図６)、中間連結部材２５の下端部に形成した底部を屋根部１７に対する載置部４１に形成し、中間連結部材２５を屋根部１７の上に載置した状態で、第１固定部８に対する第２固定部１０の相対位置を横方向に固定位置変更調整自在に連結調整機構２４を構成してある(図５)。
【００２９】
図２、図３、図４に示すように、中間連結部材２５の載置部４１における底面Ｃと第１面Ａとの間の角部には、スリットＤが形成され、一対の第２縦壁部２０の内側の第２面Ｂ間に、中間連結部材２５の第１面Ａが対面するように配置して、双方をボルト２７で締付け連結する場合に、スリットＤの存在により第１面Ａが撓み変形しやすくなり、第１面Ａと第２面Ｂとの間の隙間がなくなって滑らないように密着させられる。
従って、ボルト２７の締め付け連結により、中間連結部材２５と下側部材２１とは確実に連結でき、他物の荷重が下側部材に伝達される。
【００３０】
尚、図３、図１０に示すように、第２ボルト挿通孔１９と第４ボルト挿通孔３８は、ボルト径よりも少し横幅の大きい上下長孔に形成してあるために、上側部材２３の高さ調整が可能であると共に、お互いに平面視で９０°の位置が異なる面に設けられているために、上側部材２３を平面視で９０°異なるＸＹ方向へ傾けることにより、固定台１が傾いている場合でも第２固定部１０を水平に保つことができるように構成してある。
【００３１】
前記連結部１２を側方から覆う板金性のカバー部材４２を、ビス４３によって屋根部１７に着脱自在に設けてある(図７)。
【００３２】
図１、図２、図５〜図９に示すように、上側部材２３における第２固定部１０は、他物３を固定する他物固定ボルト２８の軸部を挿通させる軸部挿通部２９をアリ溝状に形成して、そのアリ溝状軸部挿通部２９の長手方向に第２固定部１０と他物３とを相対的に連結固定位置変更自在に構成するのに、軸部挿通部２９の内周面に凹凸部３０を形成し、その凹凸部３０に係合可能な係合凹凸部３１を、他物固定ボルト２８に対する座金３２に設け、他物固定ボルト２８に対してナットＮを螺合させるに伴って係合凹凸部３１が凹凸部３０に係合して第２固定部１０と他物３とが相対的に連結固定位置変更不能になるように構成してある。
前記凹凸部３０のピッチを、係合凹凸部３１のピッチの２倍に形成して、係合凹凸部３１を凹凸部３０のピッチに対してその１／２ずつ相対位置調整可能にしてある。
尚、本実施形態では、座金３２と他物固定ボルト２８とを別部材に設け、座金３２の下面側に、他物固定ボルト２８の６角頭部を内嵌させて回り止め可能に構成してある嵌合凹部３３を設け、他物固定ボルト２８に対する座金３２の挿通孔３４は、横断面を楕円形に形成して他物固定ボルト２８と座金３２とが少し相対移動を許容して、組み付け誤差を吸収できるように構成してある。
このように構成することにより、上側支持部材１１に対して他物３を確実に位置固定できる。
また、座金３２及び他物固定ボルト２８は、軸部挿通部２９の横端部の開口３５からアリ溝状の軸部挿通部２９内に嵌入可能にしてある。
【００３３】
〔別実施形態〕
以下に他の実施の形態を説明する。
【００３４】
〈１〉  前記縦筒状本体部１５の上端部は、通常は解放状態であり、その上が屋根部１７で覆われて雨水が入らないようにしてあるが、予め縦筒状本体部１５の上端部が蓋等の閉塞部材により閉塞してあって、その上に屋根部１７を取り付ける構造であっても良い。
〈２〉  連結用上下板部１８と第２縦壁部２０との関係は、上からの荷重が軸力伝達される構造であればよく、例えば、図１０に示すように、第２縦壁部２０と連結用上下板部１８との夫々の面が上下に交差する構造であっても良く、つまり、平面視で少なくともそれらの一部でも重なる位置にあればよく、屋根部の有害な変形を伴わない概ね重なる位置にあればよい。
〈３〉  下地側支持部材９と、それにボルト１３で連結する下側部材２１は、図１１に示すように、四角筒状の縦筒状本体部１５の各第１縦壁部１５Ａに１個の第１ボルト挿通孔１６を設けると共に、第１ボルト挿通孔１６に対応する第２ボルト挿通孔１９を、四角筒状の連結用上下板部１８の各側面に１個ずつ設けるものであっても良く、第１ボルト挿通孔１６と第２ボルト挿通孔１９の少なくともいずれか一方を上下方向の長孔にしてあれば、屋根部１７の高さ調整と勾配調整が可能になる(図１１では、第２ボルト挿通孔１９を上下方向の長孔に形成してある)。また、これらの第１ボルト挿通孔１６と第２ボルト挿通孔１９を側方から覆うカバー部材４２(図示省略)も、図７〜図９と同様に設ける。
【００３５】
[第２の実施形態]
第２の実施形態は、図１２〜図１６に示すように、取付下地への第１固定部８を備えた下側取付部材５０と、上側の固定対象物である他物を固定自在な第２固定部１０を備えた上側他物取付部材５１とを設け、下側取付部材５０の上端部と、上側他物取付部材５１の下端部との間に、互いに連結自在な連結調整部５３を設けてある。
下側取付部材５０には、第１固定部８を備える接地部１４と、上下方向に沿った縦筒状本体部１５とを設け、縦筒状本体部１５の上部全体を覆う屋根部１７を一体に設け、下側取付部材５０の上端部で屋根部１７よりも上方に延設する第２縦壁部２０を設け、上側他物取付部材５１の下端部に第３縦壁部２２を設け、第２縦壁部２０と第３縦壁部２２とを、平面視で互いに交差する面上になるように配設し、連結調整部５３を構成するのに、第２縦壁部２０と第３縦壁部２２との間に、双方に対してボルトを介して連結自在な中間連結部材２５を介在し、第２縦壁部２０に形成する第３ボルト挿通孔２６に挿通するボルト２７を介して連結自在な第１中間ボルト挿通孔３７を、中間連結部材２５に設け、第３縦壁部２２に形成する第４ボルト挿通孔３８に挿通するボルト３９を介して連結自在な第２中間ボルト挿通孔４０を、中間連結部材２５に設け、第３ボルト挿通孔２６及び第１中間ボルト挿通孔３７の少なくともいずれか一方を、横方向の長い孔に形成し、第４ボルト挿通孔３８及び第２中間ボルト挿通孔４０の少なくともいずれか一方を、縦方向の長い孔に形成し、中間連結部材２５の下端部に屋根部１７に対する載置部４１を設けて、中間連結部材２５を屋根部１７の上に載置した状態で、第１固定部８に対する第２固定部１０の相対位置を横方向に固定位置変更調整自在に構成してある。
尚、この場合、図１４に示すように、第４ボルト挿通孔３８を縦に長い孔にすれば、第２中間ボルト挿通孔４０は、ボルト３９よりも少し大きい径の孔か、もしくは、横に長い孔に形成するほうが良い。
【００３６】
詳しくは、第３ボルト挿通孔２６を横方向の長い孔に形成すると共に、第１中間ボルト挿通孔３７を縦方向の長い孔に形成し、第４ボルト挿通孔３８を縦方向の長い孔に形成すると共に、第２中間ボルト挿通孔４０を横方向に長い孔またはボルト３９の径より大きめの孔に形成して、第１固定部８に対する第２固定部１０の姿勢を相対的に傾斜変更調整自在な連結調整部５３に構成してある。
【００３７】
また、図１７、図１８に示すように、横に長い孔から成る第３ボルト挿通孔２６に対して第１ボルト挿通孔３７を、左右に２列設けて夫々にボルト２７を挿通してあり、第４ボルト挿通孔３８を左右に２列並設すると共に、第２中間ボルト挿通孔４０を左右に２個並設して、夫々にボルト３９を挿通させて、第１固定部８に対する第２固定部１０の相対姿勢を、上から荷重がかかった状態で傾斜変更調整自在にしても、確実にその姿勢を固定できるようにしてある。
尚、第２中間ボルト挿通孔４０は、２個並設したが、１本の横に長い孔に形成してあっても良い。
また、第３ボルト挿通孔２６は、１本の横に長い孔を図示したが、夫々が横に長い２本の長い孔を、横に並べてあっても良い。前述の各孔の長さは、設定自由である。
【００３８】
前記第２縦壁部２０は、断面四角形の縦筒状本体部１５の径方向に互いに対向する側壁から上方に一体に延設したもので、その第２縦壁部２０を屋根部１７に形成したスリット５４に挿通させて、溶接により屋根部１７と縦筒状本体部１５、及び、第２縦壁部２０を一体に形成してある。
図中５２は、ボルトに対する挿通孔を２個形成した共通座金で、また、４２は、第１実施形態と同様のカバー部材で、ビス４３により屋根部１７に取り付け可能に構成してある。
【００３９】
〔別実施形態〕
１、  第１固定部８に対する第２固定部１０の相対姿勢は、上から荷重がかかった状態で傾斜変更調整自在調整しても、その姿勢を固定できるように構成してあればよく、図１８に示すように、１個の縦に長い第１中間ボルト挿通孔３７に対して、１個の横に長い第３ボルト挿通孔２６を形成してあったり、図１９に示すように、１個の縦に長い第１中間ボルト挿通孔３７に対して、上下２個の並設した横に長い第３ボルト挿通孔２６を形成して、２本のボルト２７を第１中間ボルト挿通孔３７に挿通させてあっても良い。尚、それらの長い挿通孔２６、３７の長さは、夫々設定自由である。
２、  図示しないが、２個の縦に長い第１中間ボルト挿通孔３７に対して、２個の横に長い第３ボルト挿通孔２６を形成してあっても良い。尚、それらの長い挿通孔２６、３７の長さは、夫々設定自由である。
【符号の説明】
【００４０】
８      第１固定部
９      下地側支持部材
１０    第２固定部
１１    上側支持部材
１２    連結部
１４    接地部
１６    第１ボルト挿通孔
１７    屋根部
１８    連結用上下板部
１９    第２ボルト挿通孔
２０    第２縦壁部
２１    下側部材
２２    第３縦壁部
２３    上側部材
２４    連結調整機構
２５    中間連結部材
２６    第３ボルト挿通孔
３７    第１中間ボルト挿通孔
３８    第４ボルト挿通孔
４０    第２中間ボルト挿通孔
４１    載置部
４２    カバー部材
５０    下側取付部材
５１    上側他物取付部材
５３    連結調整部
【図１】
2020197120.tif 000003
【図２】
2020197120.tif 000004
【図３】
2020197120.tif 000005
【図４】
2020197120.tif 000006
【図５】
2020197120.tif 000007
【図６】
2020197120.tif 000008
【図７】
2020197120.tif 000009
【図８】
2020197120.tif 000010
【図９】
2020197120.tif 000011
【図１０】
2020197120.tif 000012
【図１１】
2020197120.tif 000013
【図１２】
2020197120.tif 000014
【図１３】
2020197120.tif 000015
【図１４】
2020197120.tif 000016
【図１５】
2020197120.tif 000017
【図１６】
2020197120.tif 000018
【図１７】
2020197120.tif 000019
【図１８】
2020197120.tif 000020
【図１９】
2020197120.tif 000021
【図２０】
2020197120.tif 000022
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
取付下地への第１固定部を備えた下側取付部材と、
上側の固定対象物である他物を固定自在な第２固定部を備えた上側他物取付部材とを設け、
前記下側取付部材の上端部と、前記上側他物取付部材の下端部との間に、互いに連結自在な連結調整部を設けてある他物固定具であって、
前記下側取付部材に、第１固定部を備える接地部と、上下方向に沿った縦筒状本体部とを設け、前記縦筒状本体部の上部全体を覆う屋根部を設け、
前記下側取付部材の上端部で前記屋根部よりも上方に延設する第２縦壁部を設け、
前記上側他物取付部材の下端部に第３縦壁部を設け、
前記連結調整部を構成するのに、前記第２縦壁部と前記第３縦壁部との間に、双方に対してボルトを介して連結自在な中間連結部材を介在し、
前記第２縦壁部に形成する第３ボルト挿通孔に挿通するボルトを介して連結自在な第１中間ボルト挿通孔を、前記中間連結部材に設け、
前記第３縦壁部に形成する第４ボルト挿通孔に挿通するボルトを介して連結自在な第２中間ボルト挿通孔を、前記中間連結部材に設け、
前記第３ボルト挿通孔及び前記第１中間ボルト挿通孔の少なくともいずれか一方を、横方向の長い孔に形成し、
前記第４ボルト挿通孔及び前記第２中間ボルト挿通孔の少なくともいずれか一方を、縦方向の長い孔に形成し、
前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に構成してある他物固定具。
【請求項２】
前記第３ボルト挿通孔及び前記第１中間ボルト挿通孔の少なくともいずれか一方を、横方向の長い孔に形成すると共に、他方を縦方向の長い孔に形成し、前記長い孔の内少なくともいずれか一方の長い孔を、その孔の長手方向と交差する方向に複数本並べ、
前記第４ボルト挿通孔及び前記第２中間ボルト挿通孔の少なくともいずれか一方を、縦方向の長い孔に形成すると共に、他方を横方向の長い孔に形成し、
前記長い孔の内少なくともいずれか一方の長い孔を、その孔の長手方向と交差する方向に複数本並べて、前記第１固定部に対する前記第２固定部の姿勢を相対的に傾斜変更調整自在にして前記連結調整部を構成してある請求項１に記載の他物固定具。
【請求項３】
前記第３ボルト挿通孔及び前記第１中間ボルト挿通孔の内少なくともいずれか一方の長い孔を、その孔の長手方向と交差する方向に複数本並べ、
前記第４ボルト挿通孔及び前記第２中間ボルト挿通孔の内少なくともいずれか一方の長い孔を、その孔の長手方向と交差する方向に複数本並べてある請求項２に記載の他物固定具。
【手続補正２】
【補正対象書類名】明細書
【補正対象項目名】全文
【補正方法】変更
【補正の内容】
【発明の詳細な説明】
【技術分野】
【０００１】
本発明は、取付下地への第１固定部を備えた下側取付部材と、上側の固定対象物である他物を固定自在な第２固定部を備えた上側他物取付部材とを設け、前記下側取付部材の上端部と、前記上側他物取付部材の下端部との間に、互いに連結自在な連結調整部を設けてある他物固定具に関する。
【背景技術】
【０００２】
従来、図２０に示すように、下地側支持部材９に、第１固定部８を備える接地部１４と、上下方向に沿った縦筒状本体部１５とを設け、縦筒状本体部１５の上部で横方向に突出したフランジ部に、第１ボルト挿通孔１６を備えて上側支持部材１１に対する連結部１２を形成し、上側支持部材１１に、縦筒状本体部１５の上端部全体を覆う屋根部１７設け、その屋根部１７の上面に、第１ボルト挿通孔１６に対応する第２ボルト挿通孔１９を設けると共に、他物３を固定自在な他物用ボルト挿通孔を設けてあった（例えば、特許文献１参照）。
【先行技術文献】
【特許文献】
【０００３】
【特許文献１】特開２００９−１６７７５４号公報
【発明の概要】
【発明が解決しようとする課題】
【０００４】
上述した従来の他物固定具では、その屋根部１７の上面に、前記他物３を固定自在な他物用ボルト挿通孔を設けてあったために、下地側支持部材９に設けた縦筒状本体部１５の内部に雨水などが侵入しやすく、下地に水分が浸透する虞があった。
また、他物３の荷重が前記他物用ボルト挿通孔を介して屋根部１７上面に作用すると共に、更に前記屋根部１７上面に形成した第２ボルト挿通孔１９及び前記フランジ部に形成した第１ボルト挿通孔１６を介して下地側支持部材９に伝達される。
そのために、屋根部１７には上からの荷重によって曲げ力が作用し、変形しやすくなる。従って、屋根部１７そのものを強化するために肉厚に形成する必要があり、重量化するという問題があった。
【０００５】
従って、本発明の目的は、上記問題点を解消し、屋根部による下地の防水性を向上させやすくしながら、他物固定具を軽量化できるようにするところにある。
【課題を解決するための手段】
【０００６】
【０００７】
【０００８】
【０００９】
【００１０】
【００１１】
【００１２】
【００１３】
【００１４】
【００１５】
【００１６】
本発明の第１の特徴構成は、取付下地への第１固定部を備えた下側取付部材と、上側の固定対象物である他物を固定自在な第２固定部を備えた上側他物取付部材とを設け、前記下側取付部材の上端部と、前記上側他物取付部材の下端部との間に、互いに連結自在な連結調整部を設けてある他物固定具であって、前記下側取付部材に、第１固定部を備える接地部と、上下方向に沿った縦筒状本体部とを設け、前記縦筒状本体部の上部全体を覆う屋根部を設け、前記下側取付部材の上端部で前記屋根部よりも上方に延設する第２縦壁部を設け、前記上側他物取付部材の下端部に第３縦壁部を設け、前記第２縦壁部と前記第３縦壁部とを、平面視で互いに交差する面上になるように配設し、前記連結調整部を構成するのに、前記第２縦壁部と前記第３縦壁部との間に、双方に対してボルトを介して連結自在な中間連結部材を介在し、前記第２縦壁部に形成する第３ボルト挿通孔に挿通するボルトを介して連結自在な第１中間ボルト挿通孔を、前記中間連結部材に設け、前記第３縦壁部に形成する第４ボルト挿通孔に挿通するボルトを介して連結自在な第２中間ボルト挿通孔を、前記中間連結部材に設け、前記第３ボルト挿通孔及び前記第１中間ボルト挿通孔の少なくともいずれか一方を、横方向の長い孔に形成し、前記第４ボルト挿通孔及び前記第２中間ボルト挿通孔の少なくともいずれか一方を、縦方向の長い孔に形成し、前記中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在に構成したところにある。
【００１７】
本発明の第１の特徴構成によれば、前記下側取付部材に、第１固定部を備える接地部と、上下方向に沿った縦筒状本体部とを設け、前記縦筒状本体部の上部全体を覆う屋根部を設け、前記下側取付部材の上端部で前記屋根部よりも上方に延設する第２縦壁部を設けることにより、縦筒状本体部の内部には雨水の侵入するのを防止して、下地の防水性を向上させやすくでき、しかも、他物を固定自在な第２固定部を備えた上側他物取付部材と、下側取付部材との間の連結には、上側他物取付部材の下端部に第３縦壁部を設け、前記第２縦壁部と前記第３縦壁部との間に、双方に対してボルトを介して連結自在な中間連結部材を介在して連結調整部を構成することにより、他物からの荷重が、上側他物取付部材から中間連結部材、下側取付部材へと伝達される。
また、連結調整部においては、前記第２縦壁部に形成する第３ボルト挿通孔に挿通するボルトを介して連結自在な第１中間ボルト挿通孔を、前記中間連結部材に設け、前記第３縦壁部に形成する第４ボルト挿通孔に挿通するボルトを介して連結自在な第２中間ボルト挿通孔を、前記中間連結部材に設け、前記第３ボルト挿通孔及び前記第１中間ボルト挿通孔の少なくともいずれか一方を、横方向の長い孔に形成し、前記第４ボルト挿通孔及び前記第２中間ボルト挿通孔の少なくともいずれか一方を、縦方向の長い孔に形成することにより、前記第１固定部に対する前記第２固定部の相対位置を横方向に固定位置変更調整自在にできると共に、中間連結部材の下端部に前記屋根部に対する載置部を設けて、前記中間連結部材を前記屋根部の上に載置した状態で、前記第１固定部に対する前記第２固定部の相対位置を横方向に固定位置変更調整自在にできるために、他物の荷重が、上側他物取付部材と中間連結部材との連結部や中間連結部と下側取付部材との連結部を伝わるのみならず、中間連結部材の載置部が屋根部に載置されることにより、屋根部にも分散されて縦筒状本体部に伝達される。
つまり、荷重伝達系路を多くして連結部における個々の負担を低減して耐久性を向上できる。
【００１８】
本発明の第２の特徴構成は、前記前記第３ボルト挿通孔及び前記第１中間ボルト挿通孔の少なくともいずれか一方を、横方向の長い孔に形成すると共に、他方を縦方向の長い孔に形成し、前記長い孔の内少なくともいずれか一方の長い孔を、その孔の長手方向と交差する方向に複数本並べ、前記第４ボルト挿通孔及び前記第２中間ボルト挿通孔の少なくともいずれか一方を、縦方向の長い孔に形成すると共に、他方を横方向の長い孔に形成し、前記長い孔の内少なくともいずれか一方の長い孔を、その孔の長手方向と交差する方向に複数本並べて、前記第１固定部に対する前記第２固定部の姿勢を相対的に傾斜変更調整自在にして前記連結調整部を構成したところにある。
【００１９】
本発明の第２の特徴構成によれば、図１７（ａ）?図１７（ｂ）に示すように、載置部の少なくとも一部を屋根部に載置した状態で、第２固定部を第１固定部に対して相対的に傾けて固定でき、他物の固定姿勢を自在に設定調整できる。
しかも、上側他物取付部材と中間連結部材との連結部や中間連結部と下側取付部材との連結部における部材の靱性変形によらずとも、他物を傾斜姿勢で固定でき、固定施工をより簡単にできるようになる。
【００２０】
本発明の第３の特徴構成は、前記前記第３ボルト挿通孔及び前記第１中間ボルト挿通孔の内少なくともいずれか一方の長い孔を、その孔の長手方向と交差する方向に複数本並べ、前記第４ボルト挿通孔及び前記第２中間ボルト挿通孔の内少なくともいずれか一方の長い孔を、その孔の長手方向と交差する方向に複数本並べたところにある。
【００２１】
本発明の第３の特徴構成によれば、第３ボルト挿通孔及び前記第１中間ボルト挿通孔の内少なくともいずれか一方の長い孔を、その孔の長手方向と交差する方向に複数本並べ、前記第４ボルト挿通孔及び前記第２中間ボルト挿通孔の内少なくともいずれか一方の長い孔を、その孔の長手方向と交差する方向に複数本並べたことにより、他物の固定姿勢を自在に調整しても、複数本並べられた長い孔夫々に連結ボルトを挿通させて締付け連結することで、より安定した固定状態を維持できる。
【図面の簡単な説明】
【００２２】
【図１】設置状態を示す参考例の全体斜視図である。
【図２】参考例の分解斜視図である。
【図３】参考例の分解斜視図である。
【図４】参考例の一部の分解斜視図である。
【図５】参考例の連結調整機構の作用説明図である。
【図６】参考例の連結調整機構の作用説明図である。
【図７】カバー部材の分解斜視図である。
【図８】参考例の設置状態を示す図１のVIII−VIII線縦断面図である。
【図９】参考例の設置状態を示す図１のIX−IX線縦断面図である。
【図１０】参考例の要部の別実施形態を示す図である。
【図１１】別実施形態の全体分解斜視図である。
【図１２】本発明の別実施形態の全体斜視図である。
【図１３】本発明の実施形態の斜め上からの分解斜視図である。
【図１４】本発明の実施形態の斜め下からの分解斜視図である。
【図１５】本発明の実施形態の下側取付部材に対する中間連結部材の分解斜視図である。
【図１６】本発明の実施形態の設置状態を示す縦断面図である。
【図１７】本発明の実施形態の要部の正面図で、（ａ）は第２固定部を傾ける前の状態、（ｂ）は第２固定部を傾けた状態を示す。
【図１８】別実施形態の要部の正面図である。
【図１９】別実施形態の要部の正面図である。
【図２０】従来例の縦断面図である。
【発明を実施するための形態】
【００２３】
[参考例]
図１〜図９に示すように、本発明の他物固定具の一実施形態品（以後、単に固定台１という）を使用して、屋上のコンクリート床やベランダ等の建築物（取付下地２の一例）の上に、ソーラーパネルの固定枠や、アンテナ支柱等の他物３の一例としての固定対象部材を固定してある状況を示している。
【００２４】
当該実施形態においては、当該固定台１を設置して、他物３を固定台１に固定してコンクリート床２の上に勾配モルタル４を塗り、その上に断熱材５を敷設し、その断熱材５の上の全域に防水シート６が敷設してある状態を示している(図８、図９)。図中の５Ａは、板金製の断熱材押さえプレートで、断熱材５と縦筒状本体部１５との間に隙間があったり、板状断熱材相互に段差があっても、防水シート６を下地側の上面部から縦筒状本体部１５に亘って、安定して貼りやすくしてある。
前記他物３は、固定台１に他物固定ボルト２８とナットＮとで固定されている。
【００２５】
前記固定台１は、板金で構成してある。
つまり、アンカーボルト７によって取付け下地に固定する第１固定部８を備えた下地側支持部材９と、上側の固定対象である他物３を固定自在な第２固定部１０を備えた上側支持部材１１とを設け、下地側支持部材９の上端部と、上側支持部材１１の下端部とに、相互にボルト１３を介して連結自在な連結部１２を設けてある。
【００２６】
前記下地側支持部材９に、第１固定部８を備える接地部１４と、上下方向に沿った縦筒状本体部１５とを設け、縦筒状本体部１５の上部の第１縦壁部１５Ａに第１ボルト挿通孔１６を備えて上側支持部材１１に対する連結部１２を形成し、上側支持部材１１に、縦筒状本体部１５の上端部全体を覆う屋根部１７設け、屋根部１７よりも下側で縦筒状本体部１５に沿って下方に延設する連結用上下板部１８に、上下方向に沿った長孔状の第２ボルト挿通孔１９を備えて下地側支持部材９に対する連結部１２を形成し、連結用上下板部１８に第２固定部１０に固定する他物３の荷重を上下方向に軸力伝達する第２縦壁部２０を、屋根部１７の上方に延設させてある（図２、図３）。
尚、縦筒状本体部１５の第１縦壁部１５Ａ及び連結用上下板部１８には、図２、図３、図８に示すように、上側支持部材１１を下地側支持部材９に重ねて連結するときに、外部と縦筒状本体部１５の内部とを連通する換気孔１６Ａを設けてあり、下地２の水分を大気中に放出できるように構成してある。
【００２７】
前記上側支持部材１１を、屋根部１７及び連結用上下板部１８及び第２縦壁部２０を備えた下側部材２１と、第２固定部１０を備え且つ第２縦壁部２０に連結自在な第３縦壁部２２を備えた上側部材２３とに分割構成し、第２縦壁部２０と第３縦壁部２２との間に、第１固定部８に対する第２固定部１０の相対位置を上下または横方向の少なくとも一方に固定位置変更調整自在な連結調整機構２４を設けてある。
【００２８】
前記下側部材２１と上側部材２３との間に、双方に対してボルト２７を介して連結自在な有底の４角箱型の中間連結部材２５を介在し、第２縦壁部２０に形成する第３ボルト挿通孔２６に挿通するボルト２７を介して連結自在な第１中間ボルト挿通孔３７を、中間連結部材２５に設け、第３縦壁部２２に形成する第４ボルト挿通孔３８に挿通するボルト３９を介して連結自在な第２中間ボルト挿通孔４０を、中間連結部材２５に設け、第３ボルト挿通孔２６及び第１中間ボルト挿通孔３７の少なくともいずれか一方を、横方向の長孔に形成し(本実施形態では、第２縦壁部２０の第３ボルト挿通孔２６を横長孔に形成し、第１中間ボルト挿通孔３７を角孔に形成）、第４ボルト挿通孔３８及び第２中間ボルト挿通孔４０の少なくともいずれか一方を、縦方向の長孔に形成して上下高さ調整自在にして(本実施形態では、上側部材２３の第３縦壁部２２に設ける第４ボルト挿通孔３８を縦長孔に形成し、第２中間ボルト挿通孔４０を角孔に形成)(図６)、中間連結部材２５の下端部に形成した底部を屋根部１７に対する載置部４１に形成し、中間連結部材２５を屋根部１７の上に載置した状態で、第１固定部８に対する第２固定部１０の相対位置を横方向に固定位置変更調整自在に連結調整機構２４を構成してある(図５)。
【００２９】
図２、図３、図４に示すように、中間連結部材２５の載置部４１における底面Ｃと第１面Ａとの間の角部には、スリットＤが形成され、一対の第２縦壁部２０の内側の第２面Ｂ間に、中間連結部材２５の第１面Ａが対面するように配置して、双方をボルト２７で締付け連結する場合に、スリットＤの存在により第１面Ａが撓み変形しやすくなり、第１面Ａと第２面Ｂとの間の隙間がなくなって滑らないように密着させられる。
従って、ボルト２７の締め付け連結により、中間連結部材２５と下側部材２１とは確実に連結でき、他物の荷重が下側部材に伝達される。
【００３０】
尚、図３、図１０に示すように、第２ボルト挿通孔１９と第４ボルト挿通孔３８は、ボルト径よりも少し横幅の大きい上下長孔に形成してあるために、上側部材２３の高さ調整が可能であると共に、お互いに平面視で９０°の位置が異なる面に設けられているために、上側部材２３を平面視で９０°異なるＸＹ方向へ傾けることにより、固定台１が傾いている場合でも第２固定部１０を水平に保つことができるように構成してある。
【００３１】
前記連結部１２を側方から覆う板金性のカバー部材４２を、ビス４３によって屋根部１７に着脱自在に設けてある(図７)。
【００３２】
図１、図２、図５〜図９に示すように、上側部材２３における第２固定部１０は、他物３を固定する他物固定ボルト２８の軸部を挿通させる軸部挿通部２９をアリ溝状に形成して、そのアリ溝状軸部挿通部２９の長手方向に第２固定部１０と他物３とを相対的に連結固定位置変更自在に構成するのに、軸部挿通部２９の内周面に凹凸部３０を形成し、その凹凸部３０に係合可能な係合凹凸部３１を、他物固定ボルト２８に対する座金３２に設け、他物固定ボルト２８に対してナットＮを螺合させるに伴って係合凹凸部３１が凹凸部３０に係合して第２固定部１０と他物３とが相対的に連結固定位置変更不能になるように構成してある。
前記凹凸部３０のピッチを、係合凹凸部３１のピッチの２倍に形成して、係合凹凸部３１を凹凸部３０のピッチに対してその１／２ずつ相対位置調整可能にしてある。
尚、本実施形態では、座金３２と他物固定ボルト２８とを別部材に設け、座金３２の下面側に、他物固定ボルト２８の６角頭部を内嵌させて回り止め可能に構成してある嵌合凹部３３を設け、他物固定ボルト２８に対する座金３２の挿通孔３４は、横断面を楕円形に形成して他物固定ボルト２８と座金３２とが少し相対移動を許容して、組み付け誤差を吸収できるように構成してある。
このように構成することにより、上側支持部材１１に対して他物３を確実に位置固定できる。
また、座金３２及び他物固定ボルト２８は、軸部挿通部２９の横端部の開口３５からアリ溝状の軸部挿通部２９内に嵌入可能にしてある。
【００３３】
〔参考例の別実施形態〕
以下に他の実施の形態を説明する。
【００３４】
〈１〉  前記縦筒状本体部１５の上端部は、通常は解放状態であり、その上が屋根部１７で覆われて雨水が入らないようにしてあるが、予め縦筒状本体部１５の上端部が蓋等の閉塞部材により閉塞してあって、その上に屋根部１７を取り付ける構造であっても良い。
〈２〉  連結用上下板部１８と第２縦壁部２０との関係は、上からの荷重が軸力伝達される構造であればよく、例えば、図１０に示すように、第２縦壁部２０と連結用上下板部１８との夫々の面が上下に交差する構造であっても良く、つまり、平面視で少なくともそれらの一部でも重なる位置にあればよく、屋根部の有害な変形を伴わない概ね重なる位置にあればよい。
〈３〉  下地側支持部材９と、それにボルト１３で連結する下側部材２１は、図１１に示すように、四角筒状の縦筒状本体部１５の各第１縦壁部１５Ａに１個の第１ボルト挿通孔１６を設けると共に、第１ボルト挿通孔１６に対応する第２ボルト挿通孔１９を、四角筒状の連結用上下板部１８の各側面に１個ずつ設けるものであっても良く、第１ボルト挿通孔１６と第２ボルト挿通孔１９の少なくともいずれか一方を上下方向の長孔にしてあれば、屋根部１７の高さ調整と勾配調整が可能になる(図１１では、第２ボルト挿通孔１９を上下方向の長孔に形成してある)。また、これらの第１ボルト挿通孔１６と第２ボルト挿通孔１９を側方から覆うカバー部材４２(図示省略)も、図７〜図９と同様に設ける。
【００３５】
[本発明の実施形態]
図１２〜図１６に示すように、取付下地への第１固定部８を備えた下側取付部材５０と、上側の固定対象物である他物を固定自在な第２固定部１０を備えた上側他物取付部材５１とを設け、下側取付部材５０の上端部と、上側他物取付部材５１の下端部との間に、互いに連結自在な連結調整部５３を設けてある。
下側取付部材５０には、第１固定部８を備える接地部１４と、上下方向に沿った縦筒状本体部１５とを設け、縦筒状本体部１５の上部全体を覆う屋根部１７を一体に設け、下側取付部材５０の上端部で屋根部１７よりも上方に延設する第２縦壁部２０を設け、上側他物取付部材５１の下端部に第３縦壁部２２を設け、第２縦壁部２０と第３縦壁部２２とを、平面視で互いに交差する面上になるように配設し、連結調整部５３を構成するのに、第２縦壁部２０と第３縦壁部２２との間に、双方に対してボルトを介して連結自在な中間連結部材２５を介在し、第２縦壁部２０に形成する第３ボルト挿通孔２６に挿通するボルト２７を介して連結自在な第１中間ボルト挿通孔３７を、中間連結部材２５に設け、第３縦壁部２２に形成する第４ボルト挿通孔３８に挿通するボルト３９を介して連結自在な第２中間ボルト挿通孔４０を、中間連結部材２５に設け、第３ボルト挿通孔２６及び第１中間ボルト挿通孔３７の少なくともいずれか一方を、横方向の長い孔に形成し、第４ボルト挿通孔３８及び第２中間ボルト挿通孔４０の少なくともいずれか一方を、縦方向の長い孔に形成し、中間連結部材２５の下端部に屋根部１７に対する載置部４１を設けて、中間連結部材２５を屋根部１７の上に載置した状態で、第１固定部８に対する第２固定部１０の相対位置を横方向に固定位置変更調整自在に構成してある。
尚、この場合、図１４に示すように、第４ボルト挿通孔３８を縦に長い孔にすれば、第２中間ボルト挿通孔４０は、ボルト３９よりも少し大きい径の孔か、もしくは、横に長い孔に形成するほうが良い。
【００３６】
詳しくは、第３ボルト挿通孔２６を横方向の長い孔に形成すると共に、第１中間ボルト挿通孔３７を縦方向の長い孔に形成し、第４ボルト挿通孔３８を縦方向の長い孔に形成すると共に、第２中間ボルト挿通孔４０を横方向に長い孔またはボルト３９の径より大きめの孔に形成して、第１固定部８に対する第２固定部１０の姿勢を相対的に傾斜変更調整自在な連結調整部５３に構成してある。
【００３７】
また、図１７、図１８に示すように、横に長い孔から成る第３ボルト挿通孔２６に対して第１ボルト挿通孔３７を、左右に２列設けて夫々にボルト２７を挿通してあり、第４ボルト挿通孔３８を左右に２列並設すると共に、第２中間ボルト挿通孔４０を左右に２個並設して、夫々にボルト３９を挿通させて、第１固定部８に対する第２固定部１０の相対姿勢を、上から荷重がかかった状態で傾斜変更調整自在にしても、確実にその姿勢を固定できるようにしてある。
尚、第２中間ボルト挿通孔４０は、２個並設したが、１本の横に長い孔に形成してあっても良い。
また、第３ボルト挿通孔２６は、１本の横に長い孔を図示したが、夫々が横に長い２本の長い孔を、横に並べてあっても良い。前述の各孔の長さは、設定自由である。
【００３８】
前記第２縦壁部２０は、断面四角形の縦筒状本体部１５の径方向に互いに対向する側壁から上方に一体に延設したもので、その第２縦壁部２０を屋根部１７に形成したスリット５４に挿通させて、溶接により屋根部１７と縦筒状本体部１５、及び、第２縦壁部２０を一体に形成してある。
図中５２は、ボルトに対する挿通孔を２個形成した共通座金で、また、４２は、第１実施形態と同様のカバー部材で、ビス４３により屋根部１７に取り付け可能に構成してある。
【００３９】
〔別実施形態〕
１、  第１固定部８に対する第２固定部１０の相対姿勢は、上から荷重がかかった状態で傾斜変更調整自在調整しても、その姿勢を固定できるように構成してあればよく、図１８に示すように、１個の縦に長い第１中間ボルト挿通孔３７に対して、１個の横に長い第３ボルト挿通孔２６を形成してあったり、図１９に示すように、１個の縦に長い第１中間ボルト挿通孔３７に対して、上下２個の並設した横に長い第３ボルト挿通孔２６を形成して、２本のボルト２７を第１中間ボルト挿通孔３７に挿通させてあっても良い。尚、それらの長い挿通孔２６、３７の長さは、夫々設定自由である。
２、  図示しないが、２個の縦に長い第１中間ボルト挿通孔３７に対して、２個の横に長い第３ボルト挿通孔２６を形成してあっても良い。尚、それらの長い挿通孔２６、３７の長さは、夫々設定自由である。
【符号の説明】
【００４０】
８      第１固定部
９      下地側支持部材
１０    第２固定部
１１    上側支持部材
１２    連結部
１４    接地部
１６    第１ボルト挿通孔
１７    屋根部
１８    連結用上下板部
１９    第２ボルト挿通孔
２０    第２縦壁部
２１    下側部材
２２    第３縦壁部
２３    上側部材
２４    連結調整機構
２５    中間連結部材
２６    第３ボルト挿通孔
３７    第１中間ボルト挿通孔
３８    第４ボルト挿通孔
４０    第２中間ボルト挿通孔
４１    載置部
４２    カバー部材
５０    下側取付部材
５１    上側他物取付部材
５３    連結調整部